(57)【要約】      （修正有）【課題】加熱されたグルーガンを安全に保持でき、作業における使い勝手がよく、汚れの除去容易さを備え、さらに、安価に製造でき、持ち運び性にも優れ、作業安全性も確保できるグルーガン保持パッドを提供する。【解決手段】少なくともシリコーン樹脂またはシリコーンゴムからなる台座９および係止片によってグルーガン保持パッド１２を形成し、前記係止片を、基端部において台座と結合または一体化させて、先端部１３ｂが上方に向かって傾斜した状態とするとともに、係止片の下部に台座に載置されたグルーガン１のスタンドの支持底部７ｂが挿入されてこれを保持可能な形状とする。【選択図】図４
0003149451.tif 000002
【実用新案登録請求の範囲】
【請求項１】
脚部と支持底部とが連結しているスタンドを有するグルーガンを保持するためのグルーガン保持パッドであって、前記パッドは、少なくとも、シリコーン樹脂またはシリコーンゴムからなる台座および係止片を有し、前記係止片は、基端部において台座と結合または一体化されて、先端部が上方に向かって傾斜した状態とされるとともに、係止片の下部に、台座に載置されたグルーガンのスタンドの支持底部が挿入されてこれを保持可能な形状とされていることを特徴とするグルーガン保持パッド。
【請求項２】
台座には、係止片の収納空間が設けられていることを特徴とする請求項１のグルーガン保持パッド。
【請求項３】
係止片の基端側には、係止片の幅方向に溝もしく突条が形成されていることを特徴とする請求項１または２のグルーガン保持パッド。
【考案の詳細な説明】
【技術分野】
【０００１】
本考案は、加熱されたグルーガンを安全に保持するためのグルーガン保持パッドに関するものである。
【背景技術】
【０００２】
図５の斜視図に例示するように、グルーガン１は、ピストル型の接着用具であり、スティック状の固形接着剤（グルー）２を差し込んで、電源コード３をつなぐと数分で高温になり、グリップ部４を握ってトリガレバー５を引くことにより、グルー２が先端方向に押し出され、温められたグルー２がガンノズル６から出てくるものである。
【０００３】
グルーガン１は、糊付けしようとする箇所にガンノズル６を当て、トリガレバー５を引くだけで、溶融したグルー２がガンノズル６から出てくるので、片手でも容易に糊付け作業を行うことができ、さらに、溶融したグルー２の接着力は強力であり、瞬時に接着できることから、各種手芸作業で多用されている。そして、手芸等においては、細かい作業が多く、一連の作業の中で、糊付けが断続的に、かつ、頻繁に行われることが多いため、一連の作業を終えるまでの間は、グルーガン１はいつでも使用できるように電源を入れて待機状態にしておくのが一般的である。
【０００４】
しかし、このような待機中の加熱されたグルーガン１を床や作業机の上に寝かせて置くなどした場合、グルーガン１を手に取り難く、また、加熱したガンノズル６に誤って触れるおそれがある。
【０００５】
そこで、グルーガンを立脚状態で保持するために、図５に例示するように、先端に、立脚および倒伏自在な金属等のスタンド７が設けられたグルーガン１が市販されている。
【０００６】
しかしながら、図５に例示するようなスタンド７によっては、立脚状態の安定性が十分でなく、作業中のわずかな接触によってグルーガン１が転倒することがしばしばあった。また、使用中のグルーガンからグルーが流れ出した場合には、机などにグルーが付着し、この汚れを除去することは容易でなかった。
【０００７】
そこで、加熱されたグルーガンを安全に保持でき、作業における使い勝手がよく、汚れの除去容易さを備えるグルーガン保持器具が提案されている（特許文献１）。
【先行技術文献】
【特許文献】
【０００８】
特開2007−754号公報
【考案の概要】
【考案が解決しようとする課題】
【０００９】
しかしながら、図６に示すように、特許文献１のグルーガン保持器具８は、段差を有する台座９と、台座９から立設するとともに頂部に凹部１０を有する立て掛け板１１とを有する複雑な形状であることから、製造に手間とコストがかかるのみならず、重ね置きなどができないため保管場所の確保にも問題があった。さらに、グルーガン立て掛け時の安定性を確保するために、前記の台座９は、グルーガンよりも重量が重くされており、グルーガン保持器具８の持ち運びにも不便であった。また、前記の台座９は、汚れ除去の容易性の観点から、ガラスを材料とすることが検討されているが、グルーガンを立て掛ける時や手に取る時に、台座９が机の上で滑りやすく、十分な作業安全性を確保できていないのが現状である。
【００１０】
本考案は、上記の点に鑑み、加熱されたグルーガンを安全に保持でき、作業における使い勝手がよく、汚れの除去容易さを備え、さらに、安価に製造でき、持ち運び性にも優れ、作業安全性も確保できるグルーガン保持パッドを提供することを課題としている。
【課題を解決するための手段】
【００１１】
上記の課題を解決するため、本考案のグルーガン保持パッドは、第１に、脚部と支持底部とが連結しているスタンドを有するグルーガンを保持するためのグルーガン保持パッドであって、前記パッドは、少なくとも、シリコーン樹脂またはシリコーンゴムからなる台座および係止片を有し、前記係止片は、基端部において台座と結合または一体化されて、先端部が上方に向かって傾斜した状態とされるとともに、係止片の下部に、台座に載置されたグルーガンのスタンドの支持底部が挿入されてこれを保持可能な形状とされていることを特徴としている。
【００１２】
さらに、第２には、台座には、係止片の収納空間が設けられていることを特徴とし、第３には、係止片の基端側には、係止片の幅方向に溝もしく突条が形成されていることを特徴とする。
【考案の効果】
【００１３】
本考案のグルーガン保持パッドによれば、台座に設けられた係止片によって、加熱されたグルーガンを安定に保持することができる。また、本考案のグルーガン保持パッドは、台座および係止片が、シリコーン樹脂またはシリコーンゴムによって形成されていることから、パッドが机等の上で滑り難く、作業における使い勝手、作業安全性に優れ、汚れの除去も容易で、安価に製造でき、軽量である。さらに、シンプルな形状で、台座に設けられた係止片も収納可能であることから、限られた収納スペースでも、パッドを重ねて保管、収納することができる。
【図面の簡単な説明】
【００１４】
【図１】本考案のグルーガン保持パッドの通常状態を例示する斜視図である。
【図２】係止片の基端部に溝を有する本考案のグルーガン保持パッドを例示する斜視図である。
【図３】本考案のグルーガン保持パッドの係止片の収納状態を例示する斜視図である。
【図４】本考案のグルーガン保持パッドによってグルーガンを保持した様子を例示する斜視図である。
【図５】脚部と支持底部とが連結するスタンドを有するグルーガンを例示する斜視図である。
【図６】従来のグルーガン保持器具を示す斜視図である。
【考案を実施するための形態】
【００１５】
以下、本考案の実施の形態について、図面を用いて説明する。
【００１６】
本考案のグルーガン保持パッドは、脚部と支持底部とが連結しているスタンドを有するグルーガンを安定に保持するためのグルーガン保持パッドである。
【００１７】
ここで、「脚部と支持底部とが連結しているスタンド」とは、例えば、図５に示すように、線状の金属等によって形成され、２本の脚部７aと支持底部７bとが連結しているスタンド７などをいう。この形態のスタンドにおいては、２本の脚部７aと支持底部と７bによって囲まれた空間７c （以下、「空間」という）が形成されている。ただし、前記「脚部と支持底部とが連結しているスタンド」は、図５に示す形態に限定されることはなく、その他、１本または３本以上の脚部７aを有するものや、複数本の支持底部７bを有するものなどであってもよく、また、スタンド７の形状も、例えば、図５に示すような略三角状の他、略長方形状などであってよい。上記のいずれの場合においても、その形態に応じた本考案のグルーガン保持パッドによって、グルーガンを安全に保持することができる。
【００１８】
図１は、図５に示すグルーガンを保持するためのグルーガン保持パッドを例示する斜視図である。
【００１９】
図１に例示するように、本考案のグルーガン保持パッド１２は、少なくとも、台座９と、台座９に設けられる係止片１３とによって構成されており、材料は、シリコーン樹脂またはシリコーンゴムからなるものであり、係止片の基端部１３aにおいて、台座９と一体化または結合されている。すなわち、台座９と係止片１３は、一体に形成されていても、別体として形成されて結合されていてもよい。
【００２０】
そして、本考案のグルーガン保持パッド１２の係止片１３は、通常状態において、先端部１３bが上方に向かって傾斜しており、さらに、その形状は、係止片下部１３cに、台座９に載置されたグルーガンのスタンドの支持底部が挿入されてこれを保持可能な形状である。係止片の先端部１３bが上方に向かって傾斜していることで、係止片１３の下方には、所定の空間が形成されているため、容易に、スタンドの支持底部を係止片下部１３cに挿入することができる。そして、係止片１３の具体的な形状は、グルーガンのスタンドの形状などによって異なるが、例えば、長方形、図１にも例示するように、先端部１３bが丸みを帯びた長方形状とすることができる。また、例えば、基端部１３aから先端部１３bに向かって幅が狭まった台形状等であってもよい。
【００２１】
さらに、係止片１３の表面には、凹凸を形成することもできるが、図１に示されるように、係止片１３の表面が滑らかに形成される場合にも、シリコーン樹脂またはシリコーンゴムの特性によって、スタンドとの接触点において滑リが生じ難いため、係止片下部１３ｃにおいて、グルーガンのスタンドの支持底部を安定に保持することができる。
【００２２】
そして、係止片１３は、図１の矢印に示すように、基端部１３aを軸として、上下方向への変形が自在である。上下方向への変形が自在であることによって、グルーガン１を手に取る際にも、係止片１３からのグルーガン１の抜き取りが容易で、作業における使い勝手がよい。また、図２に例示するように、基端部１３aの近傍には、係止片１３の幅方向の溝１５を形成することもでき、この溝１５を形成することによって、さらに、係止片１３の上下方向への変形が自在となる。
【００２３】
このような係止片の下部１３cにスタンドの支持底部が挿入されると、スタンドの支持底部が、係止片下部１３cと係止片１３の周辺の台座９によって狭持される状態となる。さらに、係止片１３は、上下方向への変形が自在であるため、スタンドの支持底部との接触によって、係止片１３はさらに上方に傾斜するとともに、これに対する反発圧力が下方に加わり、係止片下部１３cによってスタンドの支持底部が圧迫されることになる。これによって、さらに安定なスタンド７の保持を可能にしている。
【００２４】
さらに、図示してはいないが、係止片１３の基端部１３aの強度を考慮して、基端部１３aの近傍には、突条を形成することもできる。
【００２５】
そして、図１、図２にも例示するように、台座９の係止片１３下方位置には、係止片１３の収納空間１４が設けられていることが好ましい。上記の通り、係止片１３は、上下方向への変形が自在であるため、不使用時には、例えば、図３に示すように、係止片１３を下方に変形させて、係止片１３を収納空間１４に収納することもできる。係止片１３を収納した場合には、ほとんど凹凸のない一枚の板状となるため、わずかな保管スペースでも、複数のグルーガン保持パッド１２を重ねるなどして保管、収納することができて便利である。なお、図３においては、前記の溝１５を拡大図で例示している。
【００２６】
さらに、図４を用いて、本考案のグルーガン保持パッド１２の使用方法について具体的に説明する。
【００２７】
図４は、図２、図３に例示する本考案のグルーガン保持パッド１２を使用して、図５に例示するグルーガンを保持した様子を示した斜視図である。
【００２８】
図５に示すグルーガンを保持するための本考案のグルーガン保持パッド１２は、図４に例示するように、係止片１３が、スタンドの空間７c内に挿入可能な形状であり、より好ましくは、係止片の基端部１３aの近傍まで挿入可能な形状である。スタンドの空間７c内に係止片１３が挿入されることで、係止片下部１３cに、台座に載置されたグルーガンのスタンドの支持底部７ｂが挿入されて保持される。係止片１３は、上記の通り、長方形等とすることができるが、特に、図４に例示するように、先端部１３bが丸みを帯びた形状や、先端部１３bに向かって幅が狭まった形状は、スタンドの空間７c内への係止片１３の挿入を容易にするため好ましい。
【００２９】
図５に例示するグルーガンを保持する場合、係止片１３の幅rは、スタンドの空間７cの幅R以下であるが、スタンドの空間７cの幅Rと比べて係止片１３の幅rが小さすぎる場合には、安定したスタンド７の保持が難しい。したがって、グルーガン１の保持状態における、（係止片１３の幅ｒ／スタンドの空間７cの幅R）は、0.5〜0.9程度が好ましく、より好ましくは0.7〜0.9程度である。
【００３０】
そして、係止片１３は、通常状態において、先端部１３bが上方に傾斜しているため、片手でも容易に、スタンドの空間７cに係止片の先端部１３bを通すことができ、これによって、係止片下部１３cに、台座９に載置されたグルーガンのスタンドの支持底部が挿入されて、これを保持することができる。スタンドの空間７cに、係止片が基端部１３aの近傍まで挿入されると、係止片下部１３cにスタンドの支持底部７bが接触し、係止片１３は、さらに上方に傾斜する。そして、スタンドの支持底部７bは、係止片下部１３cと係止片１３の周辺の台座９によって狭持される状態となる。このとき、弾性作用によって上方に傾斜した係止片１３の反発圧力が矢印方向に加わることで、スタンドの支持底部７bが圧迫されてグルーガン１が安定に保持される。さらに、この形態においては、グルーガン１が保持状態にあるとき、係止片１３がスタンドの空間７cに挿入されていることで、作業中に、保持状態のグルーガン１が転倒しかけた場合にも、スタンドの脚部７aおよび支持底部７bが、係止片の側面部１３dに接触するため、グルーガン１が転倒する恐れがなく安全である。
【００３１】
以上の通り、図１−４を用いて、図５に例示するグルーガンを保持するためのグルーガン保持パッドについて例示説明したが、本考案のグルーガン保持パッド１２は、係止片の先端部１３aが上方に向かって傾斜した状態とされるとともに、係止片下部１３cに、台座９に載置されたグルーガンのスタンドの支持底部７bが挿入されてこれを保持可能な形状とされていればよく、図１−４に例示される形状、大きさ等に限定されない。係止片１３の形状、大きさは、スタンド７の形状や数に応じて、適宜設計することができる。また、スタンド７の数や形状によっては、複数の係止片１３を設けることもできる。さらに、台座９に設けられる係止片１３の位置は、グルーガンに設けられたスタンド７に対応する位置であればよく、特に限定されない。例えば、図５に例示する形態のスタンドを有するグルーガン１を保持するためには、図１−４に例示するように、台座９の略中央に設けられることが好ましい。
【００３２】
また、本考案のグルーガン保持パッドの形状や大きさも、載置されるグルーガンの大きさに応じて適宜決定することができ、図４に示すように、スタンド７が係止片によって保持された状態で、グルーガン１全体が台座９上に載置される形状、大きさであればよい。形状としては、例えば、図３−５に示す略長方形、その他、円形など、意匠性を考慮して適宜決定することができる。また、グルーガン保持パッドの厚みも適宜決定することができるが、係止片の収納や意匠性を考慮して、台座と係止片の厚みを同程度にすることが好ましい。
【００３３】
そして、本考案のグルーガン保持パッド１２に使用されるシリコーン樹脂またはシリコーンゴムは、耐熱性に優れるため、図４に例示するように、グルーガンを保持する際に、グルーガンを載置する際に加熱状態のグルーガン１がグルーガン保持パッド１２に接触した場合や、ガンノズル６からグルー２が流れ出た場合にも影響がほとんどなく、また、流れ出たグルー２がグルーガン保持パッド１２に接着した場合にも、容易にグルーガン保持パッド１２から剥離させることができるため、汚れ除去性に優れている。
【００３４】
さらに、シリコーン樹脂またはシリコーンゴムの特性から、グルーガン１のスタンド７およびグルーガンのグリップ部は、台座９および係止片１３との接触点において滑リ難く、グルーガン１を安定に保持することができる。さらに、台座９の裏面もシリコーン樹脂またはシリコーンゴムで形成されているため、グルーガン１を手に取ったり、置いたりする際にも、机等の上で台座が滑り難く、作業安定性が確保される。したがって、従来のように、台座９を重くする必要がないため、軽量で、持ち運びにも便利である。
【００３５】
また、グルーガン保持パッドの材料となるシリコーン樹脂またはシリコーンゴムの柔軟性については、一般的に、グルーガン保持パッドの係止片の柔軟性が高い場合には、係止片の上下方向への変形は容易となるが、グルーガンのスタンドの保持力はやや低く、反対に、グルーガン保持パッドの係止片の柔軟性が低い場合には、係止片の上下方向への変形範囲は小さくなるが、グルーガンのスタンドの保持力は高くなる。したがって、この点を考慮した上で、グルーガン保持パッドの材料となるシリコーン樹脂またはシリコーンゴムの柔軟性は、保持するグルーガンのスタンドの形状等に応じて適宜決定することができる。
【００３６】
以上のように、本考案のグルーガン保持パッドによれば、係止片の先端部が上方に向かって傾斜した状態とされるとともに、係止片の下部に、台座に載置されたグルーガンのスタンドの支持底部が挿入されてこれを保持可能な形状とされていることによって、加熱されたグルーガンを安定に保持することができる。また、シリコーン樹脂またはシリコーンゴムによって形成されていることから、グルーガン保持パッドが机等の上で滑り難く、作業における使い勝手、作業安全性に優れている。さらに、汚れの除去も容易で、安価に製造でき、軽量であることから容易に持ち運ぶことができる。また、シンプルな形状で、台座に設けられた係止片も収納可能であることから、限られた収納スペースでも、グルーガン保持パッドを重ねて保管、収納することができ便利である。
【符号の説明】
【００３７】
１  グルーガン
２  グルー
３  電源コード
４  グリップ部
５  トリガレバー
６  ガンノズル
７  スタンド
７a  脚部
７b  支持底部
７c  空間
８  グルーガン保持器具
９  台座
１０  凹部
１１  立て掛け板
１２  グルーガン保持パッド
１３  係止片
１３a  基端部
１３b  先端部
１３c  下部
１３d  側面部
１４  収納空間
１５  溝
【図１】
0003149451.tif 000003
【図２】
0003149451.tif 000004
【図３】
0003149451.tif 000005
【図４】
0003149451.tif 000006
【図５】
0003149451.tif 000007
【図６】
0003149451.tif 000008